(57)【特許請求の範囲】
【請求項１】
エレベータのかごに設けられ、前記かご内に向けて光を発する照明装置と、
前記かご内の照度を測定しながら、前記照明装置の発光量を調整し、前記かご内の照度の測定値を予め設定された目標値に保つ発光量調整装置と、
を備え、
前記発光量調整装置は、前記かご内を監視する防犯カメラが撮像した画像全体の一部に基づいて前記かご内の照度を測定する際に測定範囲を可変し得るように設けられたことを特徴とするエレベータのかご内照明制御装置。
【請求項２】
前記発光量調整装置は、前記防犯カメラの画像取込み部が取り込んだ画像情報と前記画像取込み部への明るさ制御値とに基づいて、前記かご内の照度を測定することを特徴とする請求項１記載のエレベータのかご内照明制御装置。
【請求項３】
前記照明装置は、外光を取り入れる窓の付いたかごに設けられ、前記外光を取り入れる窓の付いたかご内に向けて光を発し、
前記発光量調整装置は、前記外光を取り入れる窓の付いたかご内の照度を測定しながら、前記照明装置の発光量を調整し、前記外光を取り入れる窓の付いたかご内の照度の測定値を予め設定された目標値に保つことを特徴とする請求項１又は請求項２に記載のエレベータのかご内照明制御装置。
【請求項４】
前記照明装置は、展望用エレベータのかごに設けられ、前記展望用エレベータのかご内に向けて光を発し、
前記発光量調整装置は、前記展望用エレベータのかご内の照度を測定しながら、前記照明装置の発光量を調整し、前記展望用エレベータのかご内の照度の測定値を予め設定された目標値に保つことを特徴とする請求項１又は請求項２に記載のエレベータのかご内照明制御装置。
【発明の詳細な説明】
【技術分野】
【０００１】
この発明は、エレベータのかご内照明制御装置に関するものである。
【背景技術】
【０００２】
従来のエレベータのかご内照明制御装置において、輝度指令器は、点灯時間演算器からの点灯時間情報を光束維持率推定演算器へ送る。光束維持率推定演算器は、光束維持率低下の推定値を演算する。輝度指令器は、光束維持率低下の推定値に基づいて、輝度指令値を決定する。照明装置は、輝度指令値に基づいて、点灯する。
【０００３】
かかる構成のかご内照明制御装置においては、長時間点灯後は、点灯初期に比べ、同一電流を流しても光束量が低下し、かご内の照度が小さくなる。しかし、この低下量を、光束維持率推定演算器で演算し、かご内照度が一定となるよう、電流値を上げる輝度指令値が出力される。このため、かご内の照度を略一定に保ち、消費電力の低減が図られる。（例えば、特許文献１参照）。
【先行技術文献】
【特許文献】
【０００４】
【特許文献１】特開２００５−２７２０７３号公報
【発明の概要】
【発明が解決しようとする課題】
【０００５】
しかし、特許文献１に記載されたものにおいては、照明装置の蛍光灯等の個体差によって、かご内照度が一定とならないという問題があった。また、窓付きエレベータや展望用エレベータ等でかご内に外光が入る場合、かご内照度が必要以上に高くなるという問題があった。
【０００６】
この発明は、上述のような課題を解決するためになされたもので、その目的は、照明装置の蛍光灯等の個体差やかご内に入る外光の有無に違いがあっても、かご内照度を一定にすることができるエレベータのかご内照明制御装置を提供することである。
【課題を解決するための手段】
【０００７】
この発明に係るエレベータのかご内照明制御装置は、エレベータのかごに設けられ、前記かご内に向けて光を発する照明装置と、前記かご内の照度を測定しながら、前記照明装置の発光量を調整し、前記かご内の照度の測定値を予め設定された目標値に保つ発光量調整装置とを備え、前記発光量調整装置は、前記かご内を監視する防犯カメラが撮像した画像全体の一部に基づいて前記かご内の照度を測定する際に測定範囲を可変し得るように設けられたものである。
【発明の効果】
【０００８】
この発明によれば、照明装置の蛍光灯等の個体差やかご内に入る外光の有無に違いがあっても、かご内照度を一定にすることができる。
【図面の簡単な説明】
【０００９】
【図１】この発明の実施の形態１におけるエレベータのかご内照明制御装置のブロック図である。
【図２】この発明の実施の形態２におけるエレベータのかご内照明制御装置のブロック図である。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
一般に、エレベータのかご及び釣合おもりは、主索に吊持される。この主索は、巻上機に巻き掛けられる。この巻上機が回転駆動されると、主索が移動する。この移動により、かご及び釣合いおもりが昇降する。これにより、かご内の乗客は、建築物の各階間を移動することができる。上記構成のエレベータにおいて、かご内には、照明装置が設けられる。この照明装置が発する光により、かご内の明るさが確保される。この照明装置においては、かご内の明るさを一定に保つことにより、消費電力を低減することが求められる。そこで、本実施の形態では、かご内の明るさを一定に保つためのかご内照明制御装置が構築されている。
【００１２】
図１はこの発明の実施の形態１におけるエレベータのかご内照明制御装置のブロック図である。
図１において、１は照明装置である。この照明装置１は、エレベータのかご内に設けられる。例えば、照明装置１は、かごの天井に設けられる。この照明装置１は、照明２とインバータ回路３とを備える。照明２は、例えば、蛍光灯等からなる。この照明２は、かご内に向けて光を発する機能を備える。インバータ回路３は、外部からの輝度指令に基づいて、照明２の輝度を増減させる機能を備える。
【００１３】
４は発光量調整装置である。この発光量調整装置４は、照度計５、マイコン６を備える。照度計５は、かご内に設けられる。この照度計５は、かご内の照度を実測する機能を備える。マイコン６は、照度計５とインバータ回路３との間に接続される。そして、マイコン６は、照度計５の測定値に基づいて、照明装置１に必要な輝度を演算し、インバータ回路３に輝度指令を出力する機能を備える。即ち、発光量調整装置４は、かご内の照度を測定しながら、照明装置１の発光量を調整し、かご内の照度の測定値を予め設定された目標値に保つ機能を備える。
【００１４】
上記構成のかご内照明制御装置においては、照明２の長時間使用等で、かご内の照度が、予め設定された目標値よりも小さくなった場合、発光量調整装置４は、インバータ回路３に、照明２の輝度を上げるように、輝度指令を出力する。この輝度指令を受けたインバータ回路３は、照明２の輝度を上げる。これにより、かご内の照度が上がる。かかる動作により、かご内の照度の測定値が予め設定された目標値に保たれる。
【００１５】
一方、外光を取り入れる窓の付いたかごや展望用エレベータのかごに外光が入る等して、かご内の照度が予め設定された目標値よりも大きくなった場合、マイコン６は、インバータ回路３に、照明２の輝度を下げるように、輝度指令を出力する。この輝度指令を受けたインバータ回路３は、照明２の輝度を下げる。これにより、かご内の照度が下がる。かかる動作により、かご内の照度の測定値が予め設定された目標値に保たれる。
【００１６】
以上で説明した実施の形態１によれば、発光量調整装置４が、かご内の照度を測定しながら、照明２の発光量を調整し、かご内の照度の測定値を予め設定された目標値に保つ。このため、照明２を構成する蛍光灯等の個体差があっても、かご内の照度を一定にすることができる。また、窓付きエレベータや展望用エレベータ等でかご内に外光が入る時間帯では、かご内の照度を一定にしつつ、照明２の発光量を小さくすることができる。このため、照明２の消費電力低減を図ることができる。さらに、従来必要とされていた照明２交換時の点灯時間のリセット作業が不要となる。
【００１７】
実施の形態２．
図２はこの発明の実施の形態２におけるエレベータのかご内照明制御装置のブロック図である。なお、実施の形態１と同一又は相当部分には同一符号を付して説明を省略する。
実施の形態１においては、照度計５で、かご内の照度を実測していた。一方、実施の形態２においては、照度測定回路７で、かご内防犯カメラ８が撮像した画像情報に基づいて、かご内の照度を測定する。以下、図２を用いて、実施の形態２のかご内照明制御装置を説明する。
【００１８】
図２において、かご内防犯カメラ８は、かご内の上方の角部に設けられる。そして、かご内防犯カメラ８は、かご内を監視する機能を備える。これにより、かご内の防犯効果が高められる。
【００１９】
ここで、かご内防犯カメラ８は、ＣＣＤ９、ＡＧＣ１０、ＡＴＷ１１、ＮＴＳＣエンコーダ１２を備える。ＣＣＤ９は、画像取り込みデバイスである。このＣＣＤ９は、かご内の映像を取り込む機能を備える。なお、ＣＣＤ９に代えて、Ｃ−ＭＯＳイメージセンサが画像取り込みデバイスとして使用されてもよい。
【００２０】
ＡＧＣ１０は、自動ゲイン調整回路である。このＡＧＣ１０は、ＣＣＤ９の出力画像の明るさを調整する機能を備える。具体的には、ＡＧＣ１０は、電気信号に変換された画像情報が暗い場合は、ＣＣＤ９のシャッター時間を長くし、画像情報が明るい場合は、ＣＣＤ９のシャッター時間を短くする機能を備える。また、かご内防犯カメラ８に、電動の絞り機能が付いている場合は、ＡＧＣ１０は、シャッター時間ではなく、絞り量を調整し、ＣＣＤ９の出力画像の明るさを調整する機能を備える。
【００２１】
ＡＴＷ１１は、自動ホワイトバランス回路である。このＡＴＷ１１は、ＡＧＣ１０の出力のホワイトバランスを調整する機能を備える。ＮＴＳＣエンコーダ１２は、アナログ画像出力変換回路である。このＮＴＳＣエンコーダ１２は、ＡＴＷ１１の出力をＮＴＳＣ信号に変換して画像出力する機能を備える。この出力画像は、ＰＡＬやＳＥＣＡＭ等の他の出力方式に変換される場合もある。また、この出力画像は、ＬＡＮやＵＳＢに接続するデジタル出力に変換される場合もある。
【００２２】
本実施の形態において、照度測定回路７は、かご内防犯カメラ８内に設けられる。そして、照度測定回路７は、ＣＣＤ９が取り込んだ画像情報とＡＧＣ１０が出力する明るさ調整制御値とに基づいて、かご内の照度を測定する機能を備える。即ち、照度測定回路７は、ＡＧＣ１０でのシャッター時間や絞り量を考慮することで、かご内の照度を正確に測定する機能を備える。なお、照度測定回路７に測定される照度の範囲は、ＣＣＤ９の画像全体の場合もあるし、その一部の場合もある。また、照度測定回路７に測定される照度の範囲がＣＣＤ９の画像全体の一部の場合、測定範囲を可変にする場合もある。
【００２３】
上記構成の実施の形態２におけるかご内照明制御装置も、実施の形態１におけるかご内照明制御装置と同様に動作する。即ち、かご内の照度が、予め設定された目標値よりも小さくなった場合、発光量調整装置４は、インバータ回路３に、照明２の輝度を上げるように、輝度指令を出力する。この輝度指令を受けたインバータ回路３は、照明２の輝度を上げる。これにより、かご内の照度が上がる。かかる動作により、かご内の照度の測定値が予め設定された目標値に保たれる。
【００２４】
一方、かご内の照度が、予め設定された目標値よりも大きくなった場合、発光量調整装置４は、インバータ回路３に、照明２の輝度を下げるように、輝度指令を出力する。この輝度指令を受けたインバータ回路３は、照明２の輝度を下げる。これにより、かご内の照度が下がる。かかる動作により、かご内の照度の測定値が予め設定された目標値に保たれる。
【００２５】
以上で説明した実施の形態２によれば、発光量調整装置４は、かご内防犯カメラ８の画像に基づいて、かご内の照度を測定する。具体的には、発光量調整装置４は、画像取込みデバイスが取り込んだ画像情報と画像取込みデバイスへの明るさ制御値とに基づいて、かご内の照度を測定する。このため、かご内防犯カメラ８を適用しているかごにおいては、新たに照度計５を用いることなく、かご内の照度を一定にすることができる。即ち、発光量調整装置４の機器及び設置のコストを抑制することができる。また、照度計５が不要となるため、かご内照度制御装置全体の小型化が図られる。なお、近年、かご内防犯カメラ８の適用率が上がっていることを考慮すれば、かご内防犯カメラ８自体のコストや設置スペースが問題となることはない。
【符号の説明】
【００２６】
１  照明装置、  ２  照明、  ３  インバータ回路、  ４  発光量調整装置、
５  照度計、  ６  マイコン、  ７  照度測定回路、  ８  かご内防犯カメラ、
９  ＣＣＤ、  １０  ＡＧＣ、  １１  ＡＴＷ、  １２  ＮＴＳＣエンコーダ
【図１】
0005617949.tif 000002
【図２】
0005617949.tif 000003